(57)【要約】【課題】  バイパス通路に滞留していた湯水を強制的に排出する。【解決手段】  排熱を利用して作り出された湯を給湯場所に導くための給湯通路と、この給湯通路から分岐し当該分岐部分よりも下流側の給湯通路部分に接続するバイパス通路と、給湯通路の湯水をバイパス通路に迂回させて流すバイパス経路とバイパス通路に迂回させない直通経路とのうちの何れか一方側に給湯湯水の経路を切り換える切り換え手段２１と、給湯通路の湯水の温度が予め定められた温度よりも低いときには給湯湯水の経路がバイパス経路となるように切り換え手段２１を切り換え制御してバイパス通路の補助加熱部により給湯湯水の温度を高める補助加熱モード制御部５２と、パージ開始条件が満たされている状態の下で給湯流水が検知されているときに給湯湯水の経路がバイパス経路となるように切り換え手段２１を切り換え制御するバイパス通路パージ制御部５７とを設ける。【選択図】        図１
2006242509.tif 000002
【特許請求の範囲】
【請求項１】
排熱を利用して湯を作り出して貯湯タンクに貯湯し当該貯湯タンクの湯を給湯する排熱利用給湯システムであって、貯湯タンクの湯を給湯場所に導くための給湯通路と、この給湯通路から分岐し当該分岐部分よりも下流側の給湯通路部分に接続するバイパス通路と、給湯通路の湯水をバイパス通路に迂回させて流すバイパス経路とバイパス通路に迂回させない直通経路とのうちの何れか一方側に給湯湯水の経路を切り換える給湯経路切り換え手段と、バイパス通路に介設されバイパス通路の通水を加熱する補助加熱部と、給湯通路を流れている湯水の温度が予め定められた温度よりも低いときには給湯湯水の経路がバイパス経路となるように給湯経路切り換え手段を切り換え制御してバイパス通路の補助加熱部により給湯湯水の温度を高める補助加熱モードの動作を制御する補助加熱モード制御部と、給湯の流水を検知する給湯検知部と、予め定められたパージ開始条件が満たされている状態の下で給湯の流水が検知されているときに補助加熱モードでないのにも拘わらず給湯湯水の経路がバイパス経路となるように給湯経路切り換え手段を切り換え制御してバイパス通路に滞留していた湯水を排出させるバイパス通路パージ制御部とが設けられていることを特徴とする排熱利用給湯システム。
【請求項２】
バイパス通路の通水の有無を監視するバイパス通路通水有無監視部と、その監視情報を利用して、バイパス通路の通水停止を検知する度に通水停止時からの経過時間を計測するバイパス通水停止時間計測部と、バイパス通水停止時間計測部の計測時間を予め定められた滞留許容期限に比較してバイパス通水停止時間計測部の計測時間が滞留許容期限を越えたことを検知したときにパージ必要信号を出力するパージ要否判断部とが設けられ、バイパス通路パージ制御部は、パージ要否判断部によりパージ必要信号が出力されたときにパージ開始条件が満たされたと判断し当該判断以降に、給湯検知部が給湯の流水を検知しているときに給湯経路切り換え手段の切り換え制御を行ってバイパス通路の滞留湯水を排出させることを特徴とする請求項１記載の排熱利用給湯システム。
【請求項３】
給湯の流水開始から流水停止までを１回とし当該回数を給湯使用回数としてカウントする給湯使用回数カウント部と、バイパス通路の通水の有無を監視するバイパス通路通水有無監視部と、その監視情報に基づいてバイパス通路の通水停止を検知する度に通水停止時からの給湯使用回数を監視し当該給湯使用回数が予め定められた滞留許容限界数に達したときにパージ必要信号を出力するパージ要否判断部とが設けられ、バイパス通路パージ制御部は、パージ要否判断部によりパージ必要信号が出力されたときにパージ開始条件が満たされたと判断し当該判断以降に、給湯検知部が給湯の流水を検知しているときに給湯経路切り換え手段の切り換え制御を行ってバイパス通路の滞留湯水を排出させることを特徴とする請求項１記載の排熱利用給湯システム。
【請求項４】
バイパス通路パージ制御部によるバイパス通路のパージ通水が開始されてからの経過時間を計測する時間計測手段が設けられ、バイパス通路パージ制御部は、その時間計測手段の計測時間に基づいてバイパス通路のパージ通水を開始させてから予め定められたパージ終了時間が経過したことを検知したときに、給湯湯水の経路がバイパス経路から直通経路に切り換わるように給湯経路切り換え手段を切り換え制御してバイパス通路の滞留湯水排出動作を終了させることを特徴とする請求項１又は請求項２又は請求項３記載の排熱利用給湯システム。
【請求項５】
給湯通路は浴室に導かれて給湯通路の給湯は浴槽の湯張りに使用される構成を備え、湯張り開始を検知する湯張り検知部が設けられており、バイパス通路パージ制御部は、予め定められたパージ開始条件が満たされている状態の下で湯張りのための給湯のときにバイパス通路の滞留湯水を排出させることを特徴とする請求項１乃至請求項４の何れか１つに記載の排熱利用給湯システム。
【請求項６】
バイパス通路パージ制御部の動作情報に基づいてバイパス通路の滞留湯水排出中であることを検知しているときには、バイパス通路に湯水が流れていても補助加熱部によるバイパス通路の通水の加熱を阻止するパージ動作中補助加熱阻止部が設けられていることを特徴とする請求項１乃至請求項５の何れか１つに記載の排熱利用給湯システム。
【発明の詳細な説明】
【技術分野】
【０００１】
本発明は、排熱を利用して給湯の湯を作り出す排熱利用給湯システムに関するものである。
【背景技術】
【０００２】
図５には排熱利用給湯システムの一構成例が簡略的なモデル図により示されている。この排熱利用給湯システム１は発電装置（例えば固定高分子型燃料電池（ＰＥＦＣ）等の燃料電池や、エンジン発電機など）２で発生した排熱を利用して湯を作り出して貯湯タンク３に貯湯し、この貯湯タンク３の湯を給湯するシステムである。この排熱利用給湯システム１においては、貯湯タンク３には、当該貯湯タンク３内に給水を導入する給水通路４と、貯湯タンク３の湯を導出するための給湯通路５とが設けられている。また、発電装置２と貯湯タンク３との間には、冷却水導入通路６と、排熱回収湯導入通路７とが配設されており、冷却水導入通路６は、貯湯タンク３内の水を発電装置２の冷却水として発電装置２側に導入する。その水は、発電装置２の発電時に生じる排熱によって例えば予め定められた設定温度（例えば６０℃）まで加熱されて湯となり、この湯は、排熱回収湯導入通路７を通って貯湯タンク３に導かれ貯湯タンク３内に貯湯される。
【０００３】
貯湯タンク３の底部側には、貯湯タンク３内の湯水を排出する排水通路８が接続され、この排水通路８には排水弁（例えば排水電磁弁）９が介設されている。また、貯湯タンク３の上方側には、圧力逃がし通路１０が接続され、この圧力逃がし通路１０には過圧逃がし弁１１が介設されている。通常、貯湯タンク３内は、湯水によって満たされている。図５では、分かり易くするために、貯湯タンク３内において、湯が満たされている領域は斜線で示され、水で満たされている領域はドットで示されている。
【０００４】
この排熱利用給湯システム１では、発電装置２が作動すると、貯湯タンク３の底部側に貯められている水が冷却水導入通路６を通して発電装置２に導入され、発電装置２の発電時の排熱で加熱されて湯となり、この湯が排熱回収湯導入通路７を通って貯湯タンク３の上部側から貯湯タンク３内に導入される。このような排熱回収動作が繰り返されることにより、貯湯タンク３の底部側の水が減少し、その分、貯湯タンク３に貯湯されている湯量が増加するので、貯湯タンク３内の水と湯の境界線が貯湯タンク３の底部側に移動していく。また、貯湯タンク３内の湯が給湯通路５側に供給されて、貯湯タンク３内の湯が減少すると、その減少した湯量分だけ、給水通路４から貯湯タンク３内に水が給水される。この場合には、貯湯タンク３内の水と湯の境界線が貯湯タンク３の上部側に移動していく。
【０００５】
なお、貯湯タンク３内の湯が使用されない期間が長くなると、貯湯タンク３全体が湯で満たされてしまうことがある。この場合には、貯湯タンク３から発電装置２に水（冷却水）を供給することができず、発電装置２の冷却が行えなくなるので、例えば貯湯タンク３の湯が使用されて貯湯タンク３内に水が供給されるまで、発電装置２の発電動作は停止されて上記したような排熱回収動作も停止される。
【０００６】
この排熱利用給湯システム１では、上記した構成に加えて、次に示すような構成も備えている。つまり、給湯通路５には湯水混合ユニット１２が介設されており、この湯水混合ユニット１２を介して給水分岐通路１３が給湯通路５に接続されている。湯水混合ユニット１２は、給湯通路５の開閉を行う開閉弁１４と、貯湯タンク３側から給湯通路５を通って供給される湯量を開弁度によって制御する湯側比例弁１５と、給水分岐通路１３から供給される水の量を開弁度によって制御する水側比例弁１６と、流量センサ１７と、貯湯タンク３側から給湯通路５を通って供給されてきた湯の温度を検出する湯温検出センサ１８と、貯湯タンク３側からの湯に給水分岐通路１３側からの水が混合された後の湯温を検出する湯温検出センサ１９とを有して構成されている。
【０００７】
この湯水混合ユニット１２では、湯温検出センサ１９により検出される湯温が例えばリモコン等により予め定められた給湯の設定温度（例えば４０℃）となるように、湯側比例弁１５と水側比例弁１６の各開弁度がそれぞれ制御される。これにより、湯側比例弁１５と水側比例弁１６の各開弁度により定まる湯水の混合割合でもって貯湯タンク３側の湯と給水分岐通路１３側の水とが混合されて、設定温度の湯が作り出され、この湯が湯水混合ユニット１２から給湯通路５を通って給湯場所に供給される。
【０００８】
このような湯水混合ユニット１２が介設されている部分よりも下流側の給湯通路部分αにバイパス通路２０の一端側が接続され、このバイパス通路２０が接続されている部分αよりも下流側の給湯通路部分βにバイパス通路２０の他端側が接続されている。バイパス通路２０には、当該バイパス通路２０の通水を加熱する補助加熱部２２が介設されると共に、補助加熱部２２により加熱された湯水の温度を検出する湯温検出センサ２３が設けられている。また、給湯通路５とバイパス通路２０との接続部分αには給湯経路切り換え手段２１が設けられている。この給湯経路切り換え手段２１は、給湯通路５の湯水をバイパス通路２０に迂回させて流すバイパス経路とバイパス通路２０に迂回させない直通経路とのうちの何れか一方側に給湯湯水の経路を切り換える構成を備えている。
【０００９】
この排熱利用給湯システム１では、例えば給湯の使用量が非常に多くて貯湯タンク３に貯湯されている湯量が大幅に減少し、これに起因して、貯湯タンク３から給湯通路５に流れ出る湯の温度が低下し、このために、給湯場所に出湯する湯水の温度が設定温度よりも低くなる事態が発生することがある。このような場合には、この排熱利用給湯システム１では、次に示すような補助加熱モードの動作が行われる。例えば、湯温検出センサ１９により検出される湯温が予めリモコン等により設定された設定温度よりも低いことが検知されたときには、給湯湯水の経路がバイパス経路となるように給湯経路切り換え手段２１が切り換え制御される。これにより、給湯通路５の湯水が給湯経路切り換え手段２１を介しバイパス通路２０を迂回して流れ始めると、補助加熱部２２の加熱動作が開始されて、バイパス通路２０の通水は、補助加熱部２２により加熱される。この補助加熱部２２により加熱された湯の温度（つまり、湯温検出センサ２３の検出湯温）が設定温度となるように、補助加熱部２２の加熱量の制御が行われる。
【００１０】
このような補助加熱モードの動作によって、貯湯タンク３から給湯通路５に流れ出る湯温の低下等に起因した給湯湯温の低下問題を防止することができる。
【００１１】
【特許文献１】特開２００３−１２０９９８号公報
【発明の開示】
【発明が解決しようとする課題】
【００１２】
ところで、補助加熱モードの運転は、非常事態を想定し当該非常事態に対処するためのモードであり、補助加熱モードの運転が終了してから次に補助加熱モードの運転を行うまでに、例えば、１ヶ月以上というような長い時間が経過することがある。このような場合には、補助加熱モードの運転終了によりバイパス通路２０内に残留した湯水は、次の補助加熱モードの運転が開始されるまで、バイパス通路２０内に滞留し続けることとなり、例えば、そのバイパス通路２０内の滞留湯水の腐敗等が懸念される。
【００１３】
この発明は上記課題を解決するために成されたものであり、その目的は、バイパス通路に滞留している湯水を強制的に排出させてバイパス通路を清浄な状態に保つことができる排熱利用給湯システムを提供することにある。
【課題を解決するための手段】
【００１４】
上記目的を達成するために、この発明は次に示す構成をもって前記課題を解決するための手段としている。すなわち、この発明は、排熱を利用して湯を作り出して貯湯タンクに貯湯し当該貯湯タンクの湯を給湯する排熱利用給湯システムであって、貯湯タンクの湯を給湯場所に導くための給湯通路と、この給湯通路から分岐し当該分岐部分よりも下流側の給湯通路部分に接続するバイパス通路と、給湯通路の湯水をバイパス通路に迂回させて流すバイパス経路とバイパス通路に迂回させない直通経路とのうちの何れか一方側に給湯湯水の経路を切り換える給湯経路切り換え手段と、バイパス通路に介設されバイパス通路の通水を加熱する補助加熱部と、給湯通路を流れている湯水の温度が予め定められた温度よりも低いときには給湯湯水の経路がバイパス経路となるように給湯経路切り換え手段を切り換え制御してバイパス通路の補助加熱部により給湯湯水の温度を高める補助加熱モードの動作を制御する補助加熱モード制御部と、給湯の流水を検知する給湯検知部と、予め定められたパージ開始条件が満たされている状態の下で給湯の流水が検知されているときに補助加熱モードでないのにも拘わらず給湯湯水の経路がバイパス経路となるように給湯経路切り換え手段を切り換え制御してバイパス通路に滞留していた湯水を排出させるバイパス通路パージ制御部とが設けられていることを特徴としている。
【発明の効果】
【００１５】
この発明によれば、バイパス通路パージ制御部が設けられ、このバイパス通路パージ制御部の制御動作によって、予め定められたパージ開始条件が満たされている状態の下で給湯の流水が検知されているときに補助加熱モードでないのにも拘わらず給湯湯水の経路がバイパス経路となるように給湯経路切り換え手段が切り換え制御され、これにより、バイパス通路に滞留していた湯水を排出させることができる。このため、補助加熱モードの運転が行われていない状態が継続されても、バイパス通路に滞留していた湯水が例えば定期的に排出されることとなり、これにより、バイパス通路の滞留湯水が腐敗する等の事態発生を回避することができる。
【００１６】
また、バイパス通路パージ制御部が設けられると共に、バイパス通路の通水の有無を監視するバイパス通路通水有無監視部と、その監視情報を利用して、バイパス通路の通水停止を検知する度に通水停止時からの経過時間を計測するバイパス通水停止時間計測部と、バイパス通水停止時間計測部の計測時間を予め定められた滞留許容期限に比較してバイパス通水停止時間計測部の計測時間が滞留許容期限を越えたことを検知したときにパージ必要信号を出力するパージ要否判断部とが設けられ、バイパス通路パージ制御部は、パージ要否判断部によりパージ必要信号が出力されたときにパージ開始条件が満たされたと判断し当該判断以降に、給湯検知部が給湯の流水を検知しているときに給湯経路切り換え手段の切り換え制御を行ってバイパス通路の滞留湯水を排出させる構成を備えている場合には、補助加熱モードの運転が行われていない状態が継続されているときには、バイパス通路パージ制御部の制御動作によって、予め定めた時間間隔毎（例えば５日毎）にバイパス通路の滞留湯水の排出が行われてバイパス通路内が清浄化される。
【００１７】
さらに、バイパス通路パージ制御部が設けられると共に、給湯の流水開始から流水停止までを１回とし当該回数を給湯使用回数としてカウントする給湯使用回数カウント部と、バイパス通路の通水の有無を監視するバイパス通路通水有無監視部と、その監視情報に基づいてバイパス通路の通水停止を検知する度に通水停止時からの給湯使用回数を監視し当該給湯使用回数が予め定められた滞留許容限界数に達したときにパージ必要信号を出力するパージ要否判断部とが設けられ、バイパス通路パージ制御部は、パージ要否判断部によりパージ必要信号が出力されたときにパージ開始条件が満たされたと判断し当該判断以降に、給湯検知部が給湯の流水を検知しているときに給湯経路切り換え手段の切り換え制御を行ってバイパス通路の滞留湯水を排出させる構成を備えている場合には、補助加熱モードの運転が行われていない状態が継続されているときに、バイパス通路パージ制御部の制御動作によって、予め定めた給湯使用回数毎（例えば５０回毎）にバイパス通路の滞留湯水の排出を行うことができる。
【００１８】
さらに、バイパス通路パージ制御部によるバイパス通路のパージ通水が開始されてからの経過時間を計測する時間計測手段が設けられ、バイパス通路パージ制御部は、その時間計測手段の計測時間に基づいてバイパス通路のパージ通水を開始させてから予め定められたパージ終了時間が経過したことを検知したときに、給湯湯水の経路がバイパス経路から直通経路に切り換わるように給湯経路切り換え手段を切り換え制御してバイパス通路の滞留湯水排出動作を終了させる構成を備えていることによって、次に示すような効果を得ることができる。つまり、バイパス通路パージ制御部によって給湯湯水の経路がバイパス経路に切り換わっているときは、本来なら給湯湯水の経路は直通経路であるべきなのにバイパス経路に切り換わっている状態であることから、給湯される湯温が設定の温度からずれ給湯湯温が変動することが懸念される。しかし、上記のようにバイパス通路のパージ通水を開始させてから予め定められたパージ終了時間（例えば１分半）が経過したときにバイパス通路の滞留湯水排出動作を終了させる構成とすることによって、バイパス通路の滞留湯水の排出に要する時間分だけバイパス通路のパージ通水を行わせ、バイパス通路の滞留湯水の排出完了後には速やかに給湯湯水の経路を本来の直通経路に切り換えることができる。これにより、バイパス通路パージ制御部によるバイパス通路のパージ通水に起因して給湯湯温が変動し易い状態の期間を短時間とすることができる。
【００１９】
さらに、給湯通路は浴室に導かれて給湯通路の給湯は浴槽の湯張りに使用される構成を備え、湯張り開始を検知する湯張り検知部が設けられており、バイパス通路パージ制御部は、予め定められたパージ開始条件が満たされている状態の下で湯張りのための給湯使用のときにバイパス通路の滞留湯水を排出させる構成を備えることによって、次に示すような効果を得ることができる。つまり、上述したように、バイパス通路パージ制御部によるバイパス通路のパージ通水に起因して給湯湯温が変動し易い状態となるが、湯張りの給湯の湯は人の体に直接に当たることは殆ど無いために、バイパス通路のパージ通水によって給湯の湯温が変動しても、その湯温変動により湯の使用者に不快感を与えるという問題発生を抑制することができる。
【００２０】
さらに、バイパス通路パージ制御部の動作情報に基づいてバイパス通路の滞留湯水排出中であることを検知しているときには、バイパス通路に湯水が流れていても補助加熱部によるバイパス通路の通水の加熱を阻止するパージ動作中補助加熱阻止部が設けられている構成を備えることによって、次に示すような効果を得ることができる。つまり、給湯通路の湯水は補助加熱部により加熱しなくともよい状態であるのにも拘わらず、バイパス通路パージ制御部によってバイパス通路に流されるので、このパージ通水のときに、バイパス通路の補助加熱部によりバイパス通路の通水が加熱されると、給湯される湯温が設定温度よりも高くなって、湯の使用者に不快感を与えてしまうことが心配される。これに対して、パージ動作中補助加熱阻止部を設けることによって、バイパス通路のパージ通水のときには補助加熱部によるバイパス通路の通水の加熱が阻止されるので、給湯通路の湯水が補助加熱部の加熱動作のために設定温度よりも高くなって湯の使用者に不快感を与えてしまうという問題を回避することができる。
【発明を実施するための最良の形態】
【００２１】
以下に、この発明に係る実施形態例を図面に基づいて説明する。
【００２２】
図２には第１実施形態例の排熱利用給湯システムが簡略化された模式図により示されている。なお、この第１実施形態例の排熱利用給湯システムの説明において、図５に示される排熱利用給湯システムの構成部分と同一構成部分には同一符号を付し、その共通部分の重複説明は省略する。
【００２３】
この第１実施形態例の排熱利用給湯システム１には、給湯器２５が設けられている。この給湯器２５は燃焼室２６を有し、燃焼室２６の内部にはバーナ２７が配設されている。また、給湯器２５には、バーナ２７の燃焼の給排気を行う燃焼ファン２８と、バーナ２７の燃焼熱により加熱される熱交換器２９とが設けられている。バーナ２７には、当該バーナ２７に燃料ガスを供給する燃料供給管３０が接続されており、その燃料供給管３０には、開閉弁３１（３１ａ，３１ｂ）と比例弁３２が介設されている。開閉弁３１は、バーナ２７への燃料ガスの供給と供給停止を制御するものであり、比例弁３２は、バーナ２７への燃料ガスの供給量を開弁量により制御するものである。
【００２４】
熱交換器２９の入側には入側湯水通路３３が接続され、熱交換器２９の出側には出側湯水通路３４が接続されている。入側湯水通路３３には当該通路３３の水流を検知する水流スイッチ４８が設けられている。また、出側湯水通路３４には熱交換器２９から流れ出た湯水の温度を検出するための湯温検出センサ３５が設けられている。さらに、熱交換器２９の途中には過熱防止装置（サーモスタット）３６が設けられている。
【００２５】
入側湯水通路３３の入側端部は給湯経路切り換え手段２１に接続されている。給湯経路切り換え手段２１には、導入通路３７と直通通路３８の各一端側もそれぞれ接続されている。直通通路３８の他端側は出側湯水通路３４に接続されている。導入通路３７の他端側は、貯湯タンク３側から導かれた給湯通路５に接続されており、この導入通路３７には、当該導入通路３７の流量を検知する流量センサ３９と、導入通路３７の流量を開弁度により制御する流量制御手段４０とが介設されている。
【００２６】
給湯経路切り換え手段２１は、貯湯タンク３側から導入通路３７に供給された湯水を、入側湯水通路３３側と、直通通路３８側とのうちの何れか一方側に択一的に切り換えて通水させるためのものである。この給湯経路切り換え手段２１の切り換え動作によって、貯湯タンク３側から給湯器２５の導入通路３７に供給された湯水は、給湯経路切り換え手段２１を介し直通通路３８と出側湯水通路３４を順に通る直通経路でもって給湯器２５内を流れて出湯する場合と、給湯経路切り換え手段２１を介し入側湯水通路３３と熱交換器２９と出側湯水通路３４を順に通るバイパス経路でもって給湯器２５内を流れて出湯する場合とがある。
【００２７】
つまり、この第１実施形態例では、給湯器２５内の導入通路３７と、直通通路３８と、この直通通路３８が接続されている部分よりも下流側の出側湯水通路３４の部位とは給湯通路（５）を構成している。また、入側湯水通路３３と、熱交換器２９と、直通通路３８が接続されている部分よりも上流側の出側湯水通路３４の部位とは、バイパス通路２０を構成している。さらに、バーナ２７は補助加熱部を構成している。
【００２８】
この第１実施形態例に示される給湯器２５は多機能給湯器であり、暖房機能用構成部４２および風呂追い焚き機能用構成部４３も備えられている。出側湯水通路３４には、直通通路３８が接続されている部分よりも下流側の部位に、風呂行き通路４４の一端側が接続されており、この風呂行き通路４４の他端側は、風呂追い焚き機能用構成部４３に接続されている。この給湯器２５は、直通経路あるいはバイパス経路でもって給湯器２５内を流れた湯を風呂行き通路４４と風呂追い焚き機能用構成部４３を通して浴槽（図示せず）に供給して湯張りを行うことができる構成となっている。換言すれば、風呂行き通路４４と、風呂追い焚き機能用構成部４３内の湯張りの湯を通水させる通路とは給湯通路の一部を構成しており、給湯通路は浴室に導かれ当該給湯通路の給湯は浴槽の湯張りに使用される構成となっている。
【００２９】
なお、暖房機能用構成部４２の構成と、風呂追い焚き機能用構成部４３の構成とには、それぞれ、様々な構成があり、ここでは、それら構成のうちの何れの構成をも採用してよく、特に限定されるものではなく、その説明は省略する。
【００３０】
さらに、排熱利用給湯システム１には、動作制御を行うための制御装置５０と、リモコン４６とが設けられている。リモコン４６には、給湯の湯温を設定する給湯湯温設定手段や、湯張りの開始を指示するための湯張り開始指示ボタンなどが設けられている。図１には、第１実施形態例において特徴的な制御装置５０の制御構成部分が抜き出されてブロック図により示されている。この第１実施形態例では、制御装置５０は、バーナ燃焼制御部５１と、補助加熱モード制御部５２と、バイパス通路通水有無監視部５３と、バイパス通水停止時間計測部５４と、パージ要否判断部５５と、湯張り検知部５６と、バイパス通路パージ制御部５７とを有して構成されている。
【００３１】
補助加熱モード制御部５２は、モード開始指示部６０と、モード終了指示部６１と、温度取り込み部６２と、比較部６３とを有して構成されている。この第１実施形態例では、流量センサ１７，３９のうちの一方又は両方が給湯の流水を検知する給湯検知部として機能する構成であり、温度取り込み部６２は、その給湯検知部によって給湯の流水が検知されているとき（給湯通路５の流量が検知されているとき）には、湯温検出センサ１９により検出されている給湯通路５の通水の湯温を時々刻々と検知する。
【００３２】
比較部６３は、温度取り込み部６２により取り込まれた湯温検出センサ１９の検出湯温Ｔ19を、リモコン４６に予め設定されている給湯の設定温度Ｔsに比較し、検出湯温Ｔ19が給湯設定温度Ｔsよりも予め定められた許容範囲ΔＳ（例えば３℃）を越えて低下しているか否かを判断する。モード開始指示部６０は、比較部６３の比較結果に基づいて、検出湯温Ｔ19が給湯設定温度Ｔsよりも許容範囲を越えて低下（Ｔ19＜（Ｔs−ΔＳ））していることを検知したときには、給湯通路５の通水をそのまま出湯すると、設定温度Ｔsよりも許容範囲ΔＳを越えた低い温度の湯が供給されることになり、湯の使用者に湯温低下による不快感を与える虞があることから、補助加熱モードの動作が必要であると判断する。そして、モード開始指示部６０は、給湯湯水の経路が直通経路（つまり、給湯経路切り換え手段２１から直通経路３８を通る経路）からバイパス経路（つまり、入側湯水通路３３と熱交換器２９と出側湯水通路３４から成るバイパス通路２０を通る経路）に切り換わるように給湯経路切り換え手段２１を切り換え制御して補助加熱モードの動作（運転）を開始させる。
【００３３】
バーナ燃焼制御部５１は、水流スイッチ４８によってバイパス通路２０の通水が検知され始めた以降に、燃料供給管３０の開閉弁３１（３１ａ，３１ｂ）を開弁させ燃料供給管３０を通して燃料ガスをバーナ２７に供給し始め、また、燃焼ファン２８の回転駆動を開始させて、バーナ２７の燃焼を開始させる。また、バーナ燃焼制御部５１は、バーナ２７の燃焼中には、湯温検出センサ３５により検出される湯温を時々刻々と取り込み、この取り込んだ検出湯温（つまり、出側湯水通路３４の通水の湯温）が、リモコン４６で予め設定されている給湯設定温度Ｔsとなるように、比例弁３２の開弁度の制御を行う。これにより、燃料供給管３０からバーナ２７への燃料ガスの供給量が制御されてバーナ２７の燃焼量が制御される。
【００３４】
すなわち、この第１実施形態例では、補助加熱モード制御部５２の制御動作によって給湯経路切り換え手段２１の切り換え制御が成されて、給湯経路がバイパス経路に切り換わると、バイパス経路の通水により、バーナ燃焼制御部５１の制御動作に基づいたバーナ２７の燃焼が開始される。これにより、湯水混合ユニット１２から流れ出た給湯湯水の温度が給湯設定温度Ｔsよりも許容範囲を越えて低下していても、バーナ２７の燃焼によって加熱されることにより、給湯設定温度Ｔsまで高めることができて、給湯設定温度Ｔsの湯を給湯することができる。
【００３５】
バーナ燃焼制御部５１は、水流スイッチ４８によってバイパス通路２０の通水停止を検知したときには、開閉弁３１を閉弁させてバーナ２７の燃焼を停止させ、また、バーナ２７の燃焼が停止してから例えば予め定められた排気排出期間を経過した後に、燃焼ファン２８の回転駆動を停止させる。
【００３６】
モード終了指示部６１は、モード開始指示部６０の動作情報に基づいて補助加熱モードの動作が開始されたことを検知した以降には、比較部６３の比較結果を監視する。そして、モード終了指示部６１は、比較部６３の比較結果に基づいて、湯温検出センサ１９の検出湯温Ｔ19が給湯設定温度Ｔsよりも許容範囲ΔＳを越えて低下していない期間（Ｔ19≧（Ｔs−ΔＳ））が予め定めた期間連続していることを検知したときには、補助加熱モードの運転を行わなくとも、設定温度Ｔsの湯を給湯することができると判断して、給湯湯水の経路が直通経路となるように給湯経路切り換え手段２１の切り換え制御して、補助加熱モードの運転を終了する。その給湯経路切り換え手段２１の切り換え制御により、バイパス通路２０の通水が停止するので、バーナ燃焼制御部５１の制御動作によって、バーナ２７の燃焼は停止される。
【００３７】
また、モード終了指示部６１は、給湯検知部（流量センサ１７，３９のうちの一方又は両方）の検知情報に基づいて、給湯通路５の給湯の流水停止を検知したときには、補助加熱モードの運転の終了であると判断して、給湯湯水の経路が直通経路となるように給湯経路切り換え手段２１の切り換え制御して補助加熱モードの動作を終了させ、次の給湯運転に備える。
【００３８】
バイパス通路通水有無監視部５３は、水流スイッチ４８を利用して、バイパス通路２０の通水の有無を監視するものである。バイパス通水停止時間計測部５４は、バイパス通路通水有無監視部５３の監視情報に基づいて、バイパス通路２０の通水が停止したことを検知する度に、内蔵のタイマ（図示せず）を駆動させて、バイパス通路２０の通水が停止してからの経過時間ｔbpを計測する。
【００３９】
パージ要否判断部５５には予め滞留許容期限ｔs（例えば５日など）が与えられており、パージ要否判断部５５は、バイパス通路通水有無監視部５３の監視情報に基づいてバイパス通路２０の通水停止を検知しているときには、バイパス通水停止時間計測部５４から計測時間ｔbpを時々刻々と取り込み、この取り込んだ計測時間ｔbpを滞留許容期限ｔsに比較する。そして、パージ要否判断部５５は、バイパス通水停止時間計測部５４の計測時間ｔbpが滞留許容期限ｔsを越えたか否かを判断し、バイパス通水停止時間計測部５４の計測時間ｔbpが滞留許容期限ｔsを越えた（ｔbp＞ｔs）と判断したときに、バイパス通路２０に湯水が滞留している期間がバイパス通路２０のパージが必要な程に長くなったと判断し、パージ必要信号を出力する。
【００４０】
制御装置５０には、浴槽の湯張りや追い焚き等の風呂モードの運転を制御するための風呂モード運転制御部（図示せず）が設けられており、湯張り検知部５６は、その風呂モード運転制御部の動作情報に基づいて、浴槽の湯張りが開始されたことを検知したときに、湯張り開始信号を出力する。
【００４１】
バイパス通路パージ制御部５７は、バイパス通路２０に滞留している湯水を強制的に排出させるためのバイパス通路パージモードの運転動作を制御する構成を備えているものであり、当該バイパス通路パージ制御部５７は、時間計測手段６６と、パージ開始指示部６７と、パージ終了指示部６８とを有して構成されている。パージ開始指示部６７は、パージ要否判断部５５からパージ必要信号が出力されたことを検知したときにパージ開始条件が満たされたと判断する。そして、パージ開始指示部６７は、その判断以降に最初に浴槽への湯張りが開始されることを湯張り検知部５６からの情報に基づいて検知し、かつ、給湯検知部（流量センサ１７，３９の一方又は両方）により給湯の流水を検知したときに、バイパス通路パージモードの運転を開始すべく、給湯湯水の経路がバイパス経路となるように給湯経路切り換え手段２１の切り換え制御を行う。これにより、補助加熱モードでないのにも拘わらず、バイパス通路２０に給湯湯水が通水してバイパス通路２０に滞留していた湯水が排出（パージ）される。このバイパス通路２０の通水によって、バイパス通水停止時間計測部５４のタイマの駆動は停止され、タイマがリセットされて、次のバイパス通路２０の通水停止に備える。
【００４２】
なお、この第１実施形態例では、バイパス通路パージモードの運転によってバイパス通路２０に湯水が流れることにより、バーナ燃焼制御部５１の制御動作によって、バーナ２７の燃焼が開始される。バイパス通路２０に流れ込んだ給湯湯水は、設定温度Ｔs又はほぼ設定温度Ｔsであることから、バーナ２７の燃焼によって、給湯湯温が設定温度Ｔsよりも高くなってしまうが、バーナ燃焼制御部５１の燃焼量制御によって、バーナ２７の燃焼量は非常に小さく抑制されるか、あるいは、バーナ２７の燃焼が停止するので、給湯湯温が設定温度Ｔsよりも許容範囲を越えて高くなってしまう事態をほぼ回避することができる。その上、この第１実施形態例では、湯張りの給湯のときに、バイパス通路２０のパージ動作を行うので、そのパージ動作によってバイパス通路２０を迂回して流れた湯が、人体に直接的に当たることは殆ど無く、給湯湯温の変動が気になることは殆ど無いと想定される。
【００４３】
時間計測手段６６はタイマにより構成されている。パージ終了指示部６８は、パージ開始指示部６７の動作情報に基づいて、バイパス通路パージモードの運転が開始されたことを検知したときに時間計測手段６６を駆動させて当該時間計測手段６６によってバイパス通路２０のパージ通水が開始されてからの経過時間ｔaを計測させる。パージ終了指示部６８にはパージ終了時間ｔps（例えば１分半）が予め与えられている。このパージ終了時間ｔpsは、給湯経路切り換え手段２１を通ってバイパス通路２０に流れ込んでくる給湯湯水によって、バイパス通路２０内に滞留していた湯水の全てを排出させるのに要する時間であり、実験やシミュレーションによって予め求められるものである。
【００４４】
パージ終了指示部６８は、時間計測手段６６のタイマ駆動を開始させた以降には、時間計測手段６６の計測時間ｔaを時々刻々と取り込み、この取り込んだ計測時間ｔaをパージ終了時間ｔpsに比較し、計測時間ｔaがパージ終了時間ｔpsに達したか否かを判断する。そして、パージ終了指示部６８は、時間計測手段６６の計測時間ｔaがパージ終了時間ｔpsに達したと判断したときに、バイパス通路パージモードの運転終了のタイミングであると判断する。そして、パージ終了指示部６８は、給湯湯水の経路がバイパス経路から直通経路となるように給湯経路切り換え手段２１の切り換え制御を行ってバイパス通路パージモードの運転（バイパス通路２０の滞留湯水排出動作）を終了させる。また、パージ終了指示部６８は、時間計測手段６６のタイマ駆動を停止させ、タイマリセットして、次のタイマ駆動に備えさせる。
【００４５】
この第１実施形態例では、補助加熱モードの運転が行われていない期間が長期に渡るときには、バイパス通路通水有無監視部５３とバイパス通水停止時間計測部５４とパージ要否判断部５５とバイパス通路パージ制御部５７のそれぞれの動作によって、予め定めた滞留許容期限を越えて最初に湯張りが行われる度に、バイパス通路２０のパージが行われる。これにより、バイパス通路２０に滞留している湯水の腐敗等の心配を無くすことができる。
【００４６】
以下に、第２実施形態例を説明する。なお、この第２実施形態例の説明では、第１実施形態例と同一構成部部には同一符号を付し、その共通部分の重複説明は省略する。
【００４７】
この第２実施形態例では、補助加熱モードの運転が行われていない状態が継続されているときには、予め定められた給湯使用回数毎に、バイパス通路２０のパージ動作を行うための制御構成を備えている。すなわち、この第２実施形態例では、制御装置５０には、第１実施形態例に示したバイパス通水停止時間計測部５４に代えて、図３に示されるような給湯使用回数カウント部７０が設けられている。
【００４８】
給湯使用回数カウント部７０はカウンターを内蔵しており、給湯検知部（流量センサ１７，３９のうちの一方又は両方）により給湯の流水開始と流水停止を検知し、給湯の流水開始から流水停止までを１回とし当該回数を給湯使用回数として内蔵のカウンターを利用してカウントする。
【００４９】
パージ要否判断部５５は、バイパス通路通水有無監視部５３の監視情報に基づいてバイパス通路２０の通水停止を検知すると、給湯使用回数カウント部７０のカウンターをリセットする。また、パージ要否判断部５５は、バイパス通路通水有無監視部５３の監視情報に基づいてバイパス通路２０の通水が停止していることを検知しているときには、給湯使用回数カウント部７０のカウンターのカウント値Ｋcを予め定めたタイミング毎（例えば設定の時間間隔毎）に読み出す。パージ要否判断部５５には、予め滞留許容限界数Ｋs（例えば５０回）が与えられている。その滞留許容限界数Ｋsは、バイパス通路２０の通水が停止してから、バイパス通路２０のパージを行った方がよいと思われる時間が経過するまでの間に使用されると想定される給湯回数であり、実験等により求められ与えられている。
【００５０】
パージ要否判断部５５は、給湯使用回数カウント部７０から読み出したカウント値Ｋc（つまり、給湯使用回数）を滞留許容限界数Ｋsに比較し、給湯使用回数Ｋcが滞留許容限界数Ｋsに達したか否かを判断する。そして、パージ要否判断部５５は、給湯使用回数Ｋcが滞留許容限界数Ｋsに達した（Ｋc≧Ｋs）と判断したときには、バイパス通路２０の滞留湯水を排出させるバイパス通路パージモードの運転を行う必要があると判断してパージ必要信号を出力する。
【００５１】
この第２実施形態例では、上記した構成以外の構成は第１実施形態例と同様であり、バイパス通路パージ制御部５７は、パージ要否判断部５５からパージ必要信号が出力された以降に最初に湯張りの給湯が行われるときに、給湯湯水の経路がバイパス経路となるように給湯経路切り換え手段２１を切り換え制御してバイパス通路パージモードの運転を開始させる。また、バイパス通路パージ制御部５７は、バイパス通路パージモードの運転開始から設定のパージ終了時間が経過したことを検知したときに、給湯湯水の経路がバイパス経路から直通経路となるように給湯経路切り換え手段２１を切り換え制御してバイパス通路パージモードの運転を終了させる。
【００５２】
なお、この第２実施形態例では、パージ要否判断部５５は、バイパス通路２０の通水停止を検知したときに給湯使用回数カウント部７０のカウンターをリセットし、バイパス通路２０の通水が停止しているときには、給湯使用回数カウント部７０のカウンターから読み出したカウント値をそのまま滞留許容限界数に比較していたが、例えば、パージ要否判断部５５は次に示すような構成としてもよい。つまり、パージ要否判断部５５は、バイパス通路２０の通水停止を検知したときに、給湯使用回数カウント部７０のカウンターのカウント値を読み出し当該読み出した値を初期値として保存する。そして、パージ要否判断部５５は、バイパス通路２０の通水停止中には、給湯使用回数カウント部７０のカウンターからカウント値を読み出す度に、その読み出したカウント値から初期値を差し引いた値を滞留許容限界数に比較し、その算出値が滞留許容限界数に達したことを検知したときにパージ必要信号を出力する。パージ要否判断部５５を、このような構成としてもよい。
【００５３】
以下に、第３実施形態例を説明する。なお、この第３実施形態例の説明において、第１や第２の各実施形態例と同一構成部分には同一符号を付し、その共通部分の重複説明は省略する。
【００５４】
この第３実施形態例では、第１や第２の各実施形態例の構成に加えて、図４に示されるようなパージ動作中補助加熱阻止部７２が設けられている。このパージ動作中補助加熱阻止部７２は、バイパス通路パージ制御部５７の動作情報を取り込み、バイパス通路パージ制御部５７によってバイパス通路パージモードの運転中であることを検知しているときには、燃焼阻止信号をバーナ燃焼制御部５１に向けて出力する。バーナ燃焼制御部５１は、その燃焼阻止信号を受けているときには、水流スイッチ４８によりバイパス通路２０の通水を検知しても、バーナ２７の燃焼制御動作は行わない。上記以外の構成は、第１又は第２の各実施形態例と同様である。
【００５５】
なお、この発明は第１〜第３の各実施形態例の形態に限定されるものではなく、様々な実施の形態を採り得る。例えば、第１〜第３の各実施形態例では、湯張り検知部５６が設けられており、この湯張り検知部５６の検知情報に基づいて、バイパス通路パージ制御部５７は、パージ要否判断部５５からパージ必要信号が出力された以降に最初に湯張りが開始されたときにバイパス通路パージモードの運転を開始する構成であったが、バイパス通路パージモードの運転は湯張りの運転中に必ず行わなければならないものではなく、湯張りだけでなく他の給湯運転のときにもバイパス通路パージモードの運転が行われることがある構成としてもよい。例えば、バイパス通路パージ制御部５７は、パージ要否判断部５５からパージ必要信号が出力された以降に最初に給湯検知部（流量センサ１７，３９のうちの一方又は両方）により給湯の開始を検知したときにバイパス通路パージモードの運転を開始させる構成としてもよい。
【００５６】
また、バイパス通路パージ制御部５７は、パージ必要信号が出力された以降に最初に給湯が開始されたことを検知したときにバイパス通路パージモードの運転を開始する構成であったが、例えば、第１実施形態例の構成では、バイパス通路２０の通水が停止してからの経過時間ｔbpが設定の滞留許容期限ｔsを越えたときにパージ要否判断部５５からパージ必要信号が出力される構成であるので、給湯運転中にパージ必要信号が出力されることもある。このような場合には、バイパス通路パージ制御部５７は、パージ必要信号が出力されたときに直ちに給湯運転の途中からバイパス通路パージモードの運転を開始させる構成としてもよい。
【００５７】
さらに、給湯器２５には風呂機能と暖房機能が設けられた多機能給湯器であったが、暖房機能が設けられていなくともよいし、風呂機能と暖房機能の両方共に設けられていない給湯単機能の給湯器であってもよい。さらにまた、第１〜第３の各実施形態例では、バイパス通路２０の通水を加熱する補助加熱部として、燃料ガスを燃焼するバーナが設けられていたが、補助加熱部は、燃料ガス以外の例えば電気等を利用してバイパス通路２０の通水を加熱する構成を備えていてもよい。さらに、冷却水として発電装置２に導入された水を発電装置２の排熱で加熱して湯を作り出し当該湯を貯湯タンク３内に貯湯する構成例を示したが、例えば、発電装置２から発生する排気ガスの熱（排熱）によって加熱して作り出した湯を貯湯タンク３内に貯湯する構成としてもよい。また、発電装置２の排熱ではなく、例えば、エンジンでコンプレッサーを駆動する構成を持つ冷暖房装置等の発電装置以外の装置の排熱を利用して湯を作り出し当該湯を貯湯タンク３内に貯湯する構成としてもよい。
【図面の簡単な説明】
【００５８】
【図１】第１実施形態例の排熱利用給湯システムにおいて特有な制御構成例を説明するためのブロック図である。
【図２】第１実施形態例の排熱利用給湯システムのシステム構成例を説明するためのモデル図である。
【図３】第２実施形態例において特有な制御構成例を説明するためのブロック構成図である。
【図４】第３実施形態例において特有な制御構成例を説明するためのブロック構成図である。
【図５】排熱利用給湯システムの一システム構成例を説明するためのモデル図である。
【符号の説明】
【００５９】
１  排熱利用給湯システム
２  発電装置
３  貯湯タンク
５  給湯通路
２０  バイパス通路
２１  給湯経路切り換え手段
２７  バーナ
５０  制御装置
５２  補助加熱モード制御部
５３  バイパス通路通水有無監視部
５４  バイパス通水停止時間計測部
５５  パージ要否判断部
５６  湯張り検知部
５７  時間計測手段
７０  給湯使用回数カウント部
７２  パージ動作中補助加熱阻止部
【図１】
2006242509.tif 000003
【図２】
2006242509.tif 000004
【図３】
2006242509.tif 000005
【図４】
2006242509.tif 000006
【図５】
2006242509.tif 000007